(57)【特許請求の範囲】
【請求項１】
絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具の安定器に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、
複数の係止部材は、互いにコネクタ部を挟む形で移動方向に沿って対向するとともにコネクタ部との対向面に突部が設けられてなり、
コネクタ部は、一対の引掛刃と各々導通し且つ器体底面より開口面側へ立ち上がる一対のコンタクトを具備し、
プラグは、絶縁性を有する合成樹脂成形品からなるプラグ本体と、プラグ本体内に収納されてコネクタ部のコンタクトとそれぞれ接触導通する一対のコンタクト受けと、コネクタ部と接続されている状態で各係止部材の突部と対向するプラグ本体の側面に突設された複数のストッパ部とを具備し、
これら複数のストッパ部は、係止部材の移動方向に沿った直線上に位置するとともにプラグがコネクタ部と正常に接続されている状態のときにのみ突部と干渉して係止部材の退避向きへの移動を規制してなることを特徴とする引掛シーリングアダプタ。
【請求項２】
コネクタ部が具備する一対のコンタクトは、係止部材の移動方向と交差する方向に並び、
プラグは、コネクタ部と接続されている状態で各係止部材の突部と対向し且つ一対のコンタクト受けが並ぶ方向に並行するプラグ本体の側面に各々ストッパ部が突設されたことを特徴とする請求項１記載の引掛シーリングアダプタ。
【請求項３】
絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具の安定器に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、
複数の係止部材は、移動方向に沿って対向するとともに互いの対向面に突部が設けられてなり、
コネクタ部は、一対の引掛刃と各々導通し且つ器体底面より開口面側へ立ち上がる一対のコンタクトを具備して係止部材の突部に対向しない位置に設けられ、
プラグは、絶縁性を有する合成樹脂成形品からなるプラグ本体と、プラグ本体内に収納されてコネクタ部のコンタクトとそれぞれ接触導通する一対のコンタクト受けと、プラグ本体の側面に突設されコネクタ部と接続されている状態で各係止部材の突部と対向するストッパ部とを具備し、
該ストッパ部は、係止部材の移動方向に沿った直線上に位置するとともにプラグがコネクタ部と正常に接続されている状態のときにのみ突部と干渉して係止部材の退避向きへの移動を規制してなることを特徴とする引掛シーリングアダプタ。
【請求項４】
プラグは、プラグ本体におけるストッパ部が突設されていない側面にロック爪が設けられてなり、
コネクタ部は、一対のコンタクトを囲むように器体底面より立設されてプラグ本体と嵌合する嵌合体と、嵌合体における係止部材と対向しない複数の側面に設けられてプラグのロック爪が択一的に係合する複数の被係合部とを具備することを特徴とする請求項１〜３の何れかに記載の引掛シーリングアダプタ。
【請求項５】
係止部材は、器体周面の窓孔を通り抜け可能な寸法に形成され、
移動手段は、合成樹脂成形品からなる複数の移動部材からなり、該移動部材は、カバーと対向する係止部材の前面に突設された係合突部に対して係止部材の移動方向で係合する被係合片と、カバーを通して外部に突出する操作部と、被係合片と操作部を連結する連結片とが一体に形成されるとともに、コネクタ部を挟んで被係合片と操作部とが一直線上に並ぶようにコネクタ部の側方に連結片が配置されてなり、係止部材には移動部材の移動を案内する手段が設けられていることを特徴とする請求項１〜４の何れかに記載の引掛シーリングアダプタ。
【請求項６】
付勢手段は、両端部が各々係止部材のばね係止部に係止されるとともに、器体底面からカバー側へ立設されたボス部に円筒形の中央部が外挿されるねじりばねからなり、
ボス部は、器体内においてコネクタ部から離れた位置にあって器体とカバーを結合するためのねじが螺合することを特徴とする請求項５記載の引掛シーリングアダプタ。
【請求項７】
ねじりばねの両端部は、係止部材の移動方向に直交する器体とカバーの結合方向においてばね係止部によって位置規制され、ねじりばねの中央部は、器体の底面側にのみ位置規制されるとともに当該規制位置の器体底面からの高さがばね係止部の規制位置の高さに略等しいことを特徴とする請求項６記載の引掛シーリングアダプタ。
【請求項８】
移動部材の被係合片は、円筒形の器体内壁における窓孔周辺に当接する部位が当該窓孔周辺の形状と略同形状に形成されてなることを特徴とする請求項４記載の引掛シーリングアダプタ。
【請求項９】
請求項１〜８の何れかに記載の引掛シーリングアダプタと、引掛シーリングアダプタの係止部材が係脱自在に係止する被係止部が設けられた器具本体と、プラグを介して給電される安定器とを備えたことを特徴とする照明器具。
【発明の詳細な説明】
【技術分野】
【０００１】
本発明は、天井に配設された引掛シーリングボディに照明器具を電気的且つ機械的に取り付けるための引掛シーリングアダプタ並びに照明器具に関するものである。
【背景技術】
【０００２】
従来より、天井に配設された引掛シーリングボディに照明器具を電気的且つ機械的に取り付けるための引掛シーリングアダプタが提供されている（例えば、特許文献１参照）。
【０００３】
特許文献１に記載されている従来の引掛シーリングアダプタは、図１５及び図１６に示すように絶縁材料（合成樹脂）により下面が開口した有底円筒状に形成された器体１００と、器体１００の開口面を塞ぐカバー１３０と、器体１００の外底面に設けられた凹所１１１内にねじ止めされて引掛シーリングボディ（図示せず）と着脱可能に嵌合する一対の引掛刃１０３，１０３と、これら一対の引掛刃１０３，１０３と導通するとともにカバー１３０の中央に設けられた開口１３３を通して外部に露出し照明器具の安定器に給電するためのプラグ（図示せず）が抜き差し自在に接続されるコネクタ部１０９と、器体１００周面に設けられた溝１１４より進退自在に突出し器体１００周面から突出している状態で照明器具に設けられている被係止部（図示せず）と係脱自在に係止する一対の係止部材１０７，１０７と、各係止部材１０７を器体１００外へ進出させる向きに弾性付勢する一対のコイルばね１２３，１２３と、コイルばね１２３，１２３の弾性力に抗して各係止部材１０７，１０７を器体１００内に退避させる向きに移動させる移動手段とを備えている。ここで、移動手段は係止部材１０７と一体に形成されてカバー１３０の操作孔１３２，１３２を通して突出する操作片１０８，１０８からなり、これら一対の操作片１０８，１０８を同時に外側に押し広げるように操作することで溝１１４，１１４から突出している係止部材１０７，１０７を器体１００内に退避させて照明器具を取り外すことができる。
【０００４】
コネクタ部１０９は、引掛刃１０３，１０３と一体に形成されて器体１００底面から器体１００内に挿入されている一対のコンタクト（図示せず）と、コンタクトを囲むように器体１００の底面から立設された筒状の嵌合体１０９ａと、筒状であって嵌合体１０９ａの側方に設けられプラグが具備するロック爪が挿入されたときに当該ロック爪を係止してプラグを抜け止めする抜け止め部１０９ｂとを具備している。ここで、プラグとコネクタ部１０９とは、係止部材１０７，１０７が被係止部に確実に係止して照明器具が固定された状態でないと接続できないようにするために、器体１００内に退避している状態でコネクタ部１０９が具備する抜け止め部１０９ｂの挿入孔を塞ぐ規制片１１０が係止部材１０７に設けられている。すなわち、係止部材１０７，１０７が器体１００から進出して照明器具の被係止部に確実に係止されている状態でなければ、プラグのロック爪が抜け止め部１０９ｂに挿入できないためにプラグがコネクタ部１０９と接続できないようになっている。
【特許文献１】特許第３５６３９００号公報
【発明の開示】
【発明が解決しようとする課題】
【０００５】
ところが上記従来例においては、プラグをコネクタ部１０９に接続してから照明器具を取り付けるという誤った手順で施工された場合、照明器具の取付時に係止部材１０７，１０７が器体１００内に退避する際、規制片１１０によってプラグのロック爪が変形してしまい、ロック爪が機能しなくなってプラグが正常に接続できなくなる虞があった。
【０００６】
本発明は上記事情に鑑みて為されたものであり、その目的は、誤った手順で照明器具が取り付けられるのを確実に防ぐことができる引掛シーリングアダプタ並びに照明器具を提供することにある。
【課題を解決するための手段】
【０００７】
請求項１の発明は、上記目的を達成するために、絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具の安定器に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、複数の係止部材は、互いにコネクタ部を挟む形で移動方向に沿って対向するとともにコネクタ部との対向面に突部が設けられてなり、コネクタ部は、一対の引掛刃と各々導通し且つ器体底面より開口面側へ立ち上がる一対のコンタクトを具備し、プラグは、絶縁性を有する合成樹脂成形品からなるプラグ本体と、プラグ本体内に収納されてコネクタ部のコンタクトとそれぞれ接触導通する一対のコンタクト受けと、コネクタ部と接続されている状態で各係止部材の突部と対向するプラグ本体の側面に突設された複数のストッパ部とを具備し、これら複数のストッパ部は、係止部材の移動方向に沿った直線上に位置するとともにプラグがコネクタ部と正常に接続されている状態のときにのみ突部と干渉して係止部材の退避向きへの移動を規制してなることを特徴とする。
【０００８】
請求項２の発明は、請求項１の発明において、コネクタ部が具備する一対のコンタクトは、係止部材の移動方向と交差する方向に並び、プラグは、コネクタ部と接続されている状態で各係止部材の突部と対向し且つ一対のコンタクト受けが並ぶ方向に並行するプラグ本体の側面に各々ストッパ部が突設されたことを特徴とする。
【０００９】
請求項３の発明は、上記目的を達成するために、絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具の安定器に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、複数の係止部材は、移動方向に沿って対向するとともに互いの対向面に突部が設けられてなり、コネクタ部は、一対の引掛刃と各々導通し且つ器体底面より開口面側へ立ち上がる一対のコンタクトを具備して係止部材の突部に対向しない位置に設けられ、プラグは、絶縁性を有する合成樹脂成形品からなるプラグ本体と、プラグ本体内に収納されてコネクタ部のコンタクトとそれぞれ接触導通する一対のコンタクト受けと、プラグ本体の側面に突設されコネクタ部と接続されている状態で各係止部材の突部と対向するストッパ部とを具備し、該ストッパ部は、係止部材の移動方向に沿った直線上に位置するとともにプラグがコネクタ部と正常に接続されている状態のときにのみ突部と干渉して係止部材の退避向きへの移動を規制してなることを特徴とする。
【００１０】
請求項４の発明は、請求項１〜３の何れかの発明において、プラグは、プラグ本体におけるストッパ部が突設されていない側面にロック爪が設けられてなり、コネクタ部は、一対のコンタクトを囲むように器体底面より立設されてプラグ本体と嵌合する嵌合体と、嵌合体における係止部材と対向しない複数の側面に設けられてプラグのロック爪が択一的に係合する複数の被係合部とを具備することを特徴とする。
【００１１】
請求項５の発明は、請求項１〜４の何れかの発明において、係止部材は、器体周面の窓孔を通り抜け可能な寸法に形成され、移動手段は、合成樹脂成形品からなる複数の移動部材からなり、該移動部材は、カバーと対向する係止部材の前面に突設された係合突部に対して係止部材の移動方向で係合する被係合片と、カバーを通して外部に突出する操作部と、被係合片と操作部を連結する連結片とが一体に形成されるとともに、コネクタ部を挟んで被係合片と操作部とが一直線上に並ぶようにコネクタ部の側方に連結片が配置されてなり、係止部材には移動部材の移動を案内する手段が設けられていることを特徴とする。
【００１２】
請求項６の発明は、請求項５の発明において、付勢手段は、両端部が各々係止部材のばね係止部に係止されるとともに、器体底面からカバー側へ立設されたボス部に円筒形の中央部が外挿されるねじりばねからなり、ボス部は、器体内においてコネクタ部から離れた位置にあって器体とカバーを結合するためのねじが螺合することを特徴とする。
【００１３】
請求項７の発明は、請求項６の発明において、ねじりばねの両端部は、係止部材の移動方向に直交する器体とカバーの結合方向においてばね係止部によって位置規制され、ねじりばねの中央部は、器体の底面側にのみ位置規制されるとともに当該規制位置の器体底面からの高さがばね係止部の規制位置の高さに略等しいことを特徴とする。
【００１４】
請求項８の発明は、請求項４の発明において、移動部材の被係合片は、円筒形の器体内壁における窓孔周辺に当接する部位が当該窓孔周辺の形状と略同形状に形成されてなることを特徴とする。
【００１５】
請求項９の発明は、上記目的を達成するために、請求項１〜８の何れかに記載の引掛シーリングアダプタと、引掛シーリングアダプタの係止部材が係脱自在に係止する被係止部が設けられた器具本体と、プラグを介して給電される安定器とを備えたことを特徴とする。
【発明の効果】
【００１６】
請求項１の発明によれば、プラグが、絶縁性を有する合成樹脂成形品からなるプラグ本体と、プラグ本体内に収納されてコネクタ部のコンタクトとそれぞれ接触導通する一対のコンタクト受けと、コネクタ部と接続されている状態で各係止部材の突部と対向するプラグ本体の側面に突設された複数のストッパ部とを具備し、これら複数のストッパ部が、係止部材の移動方向に沿った直線上に位置するとともにプラグがコネクタ部と正常に接続されている状態のときにのみ突部と干渉して係止部材の退避向きへの移動を規制しているので、係止部材を照明器具の被係止部に係止する前にプラグをコネクタ部に接続するという誤った手順で照明器具が取り付けられるのを確実に防ぐことができる。
【００１７】
また、請求項３の発明によれば、プラグが、絶縁性を有する合成樹脂成形品からなるプラグ本体と、プラグ本体内に収納されてコネクタ部のコンタクトとそれぞれ接触導通する一対のコンタクト受けと、プラグ本体の側面に突設されコネクタ部と接続されている状態で各係止部材の突部と対向するストッパ部とを具備し、該ストッパ部が、係止部材の移動方向に沿った直線上に位置するとともにプラグがコネクタ部と正常に接続されている状態のときにのみ突部と干渉して係止部材の退避向きへの移動を規制しているので、係止部材を照明器具の被係止部に係止する前にプラグをコネクタ部に接続するという誤った手順で照明器具が取り付けられるのを確実に防ぐことができ、しかも、請求項１の発明に比較して係止部材の移動距離が伸ばせるから、窓孔から突出して照明器具の被係止部と係止する寸法が大きくなって照明器具を確実に保持することができる。
【発明を実施するための最良の形態】
【００１８】
（実施形態１）
以下、図１〜９を参照して本発明の実施形態１を詳細に説明する。
【００１９】
本実施形態の引掛シーリングアダプタは、図１及び図２に示すように、絶縁性を有する合成樹脂材料により一面が開口した有底円筒状に形成された器体１と、器体１の開口面（図２における下面）を塞ぐカバー２と、器体１の外底面より突出して引掛シーリングボディ（図示せず）と着脱可能に嵌合する一対の引掛刃３，３と、これら一対の引掛刃３，３と導通するとともにカバー２の中央に設けられた開口部２０を通して外部に露出し照明器具の安定器に給電するためのプラグ８が抜き差し自在に接続されるコネクタ部４と、器体１周面に設けられた窓孔１２，１２より進退自在に突出し器体１周面から突出している状態で照明器具（実際は器具本体に取り付けられるホルダ２１０）に設けられている被係止部２１１と係脱自在に係止する一対の係止部材５，５と、各係止部材５を器体１外へ進出させる向きに弾性付勢する付勢手段と、付勢手段の弾性力に抗して各係止部材５，５を器体１内に退避させる向きに移動させる移動手段とを備えている。
【００２０】
器体１は、円板状の底板１０と、底板１０の周縁より立ち上がる円筒形の周壁１１とが一体に形成された合成樹脂成形品からなる。周壁１１において底板１０の中心を挟んで対向する部位には平面視略矩形の一対の窓孔１２，１２が開口し、当該部位のみ底板１０からの高さが高くなっている。また、周壁１１において底板１０の周方向に沿った窓孔１２，１２の両側面からは、互いに平行となるように内側に突出して係止部材５，５をガイドするガイド片１３，１３が各々設けられている（図４参照）。
【００２１】
また、底板１０の中央には角筒状の嵌合体４０が立設されており、この嵌合体４０の内側に一対のコンタクト４１，４１が収納されてコネクタ部４を構成している。コンタクト４１，４１は幅細の矩形板状であって、それぞれ矩形板状の固定片４２，４２を介して引掛刃３，３と一体に形成されている（以下、引掛刃３と固定片４２とコンタクト４１が一体に形成された部材を端子板と呼ぶ。）。固定片４２，４２にはねじ挿通孔４２ａが貫設され、タッピングねじからなる固定ねじ４３，４３によって固定片４２，４２が器体１の底板１０に固定される。底板１０には嵌合体４０を挟んで点対称の位置に一対の孔１０ａ，１０ａが設けられており、これらの孔１０ａ，１０ａを通して引掛刃３，３が底板１０の外側に突出する（図１参照）。そして、コンタクト４１，４１は、嵌合体４０の側面に設けられている一対の縦溝４０ａ，４０ａを通して嵌合体４０の中に導入され、嵌合体４０の内部で底板１０と略垂直に立ち上がっている（図３参照）。
【００２２】
また、底板１０の周端部には、窓孔１２，１２の対向方向（図４における左右方向）と直交する方向（図４における上下方向）において嵌合体４０を挟んで対向するように一対のボス部１４，１４が立設されている。ボス部１４は、略円柱形状であって軸方向中央には縦穴１４ａが穿孔されている。つまり、カバー２に設けられているねじ挿通孔２１，２１にタッピングねじからなる取付ねじ１４ｂ，１４ｂを挿通しボス部１４，１４の縦穴１４ａ，１４ａに螺合することでカバー２と器体１が結合されるのである。
【００２３】
係止部材５は、窓孔１２を通り抜け可能な寸法に形成された本体部５０と、本体部５０における嵌合体４０との対向面より突出する突部５１とが一体に形成された合成樹脂成形品からなる。本体部５０は、窓孔１２と対向する面（先端面）が周壁１１の曲率半径と略等しい曲率半径を有する円弧状に形成されるとともに、カバー２側の部位（図２における下側半分の部位）が径方向に突出してなる係止爪５０ａを備えている。また本体部５０は、底板１０側の面（図１における上面）における周方向中央に、径方向に沿った幅細の溝５０ｂが形成されている（図１参照）。一方、器体１の底板１０には溝５０ｂに嵌合するガイドリブ１５，１５が嵌合体４０を挟んで対称な位置に突設されており、ガイドリブ１５が溝５０ｂに嵌合した状態で係止部材５が溝５０ｂの長手方向に沿って移動自在に器体１内に収納される。ここで、ガイドリブ１５は底板１０の中心に向かって底板１０から離れる向きに傾斜した略三角形状に形成されているので、周壁１１の外側から係止部材５を窓孔１２に挿入すると、突部５１が斜面に沿ってガイドリブ１５を乗り越えて溝５０ｂにガイドリブ１５が嵌合することになる。ここで、後述するように移動部材７の被係合片７０が周壁１１の内周面に当接することにより、窓孔１２から器体１外へ進出する向きにおける係止部材５の移動が規制されるとともに（図３参照）、突部５１が嵌合体４０の縦溝４０ａ側の側面に当接することにより、窓孔１２から器体１内に退避する向きにおける係止部材５の移動が規制される。その結果、係止部材５は、係止爪５０ａが周壁１１より外側に突出する位置と周壁１１より外側に突出しない位置との間で移動可能となっている。
【００２４】
付勢手段は、図４（ａ）に示すように両端部が各々係止部材５，５のばね係止部５３，５３に係止されるとともに、器体１の一方のボス部１４に円筒形の中央部６０が外挿されるねじりばね６からなる。更に詳しく説明すると、係止部材５には、本体部５０と突部５１との間に凹部５２が形成されるとともに凹部５２の本体部５０側の側面から突起状のばね係止部５３が突設されている。すなわち、ねじりばね６のばね片６１，６１の先端部が凹部５２の底面との間でばね係止部５３に係止され、外側に開こうとするばね片６１，６１の弾性力によって係止部材５，５が窓孔１２，１２から進出する向きに弾性付勢されることになる。ここで、図４及び図５に示すように前記一方のボス部１４の根元に底板１０から立ち上がる一対の規制リブ１６，１６が突設されており、これら一対の規制リブ１６，１６によって中央部６０が器体１の底板１０側、つまり、ボス部１４への外挿向き（図５における上向き）にのみ位置規制される。また、中央部６０の規制位置の器体１底面（底板１０）からの高さは、ばね係止部５３，５３の規制位置の高さに略等しくしてある（図５参照）。
【００２５】
而して、係止部材５，５が退避向きに移動するときにねじりばね６のばね片６１，６１が撓むことで中央部６０がボス部１４の軸方向に移動しようとするが、底板１０側には規制リブ１６，１６で位置規制されているためにボス部１４の先端向き（図５における下向き）に僅かに移動し、縮径した中央部６０がボス部１４の外側周面に当接してバランスを取る形で位置決めされる。このとき、ばね片６１，６１も中央部６０とともに底板１０から離れる向きに移動するため、係止部材５，５と底板１０との間に作用する摩擦力が減少して係止部材５，５をスムースに移動させることができる。尚、ねじりばね６の中央部６０が外挿されるボス部１４には取付ねじ１４ｂが螺合されるので、中央部６０が縮径したときにボス部１４が変形する虞がないものである。
【００２６】
次に、ねじりばね６の弾性力に抗して係止部材５，５を退避向きに移動させる移動手段たる移動部材７，７について説明する。
【００２７】
移動部材７は合成樹脂成形品からなり、カバー２と対向する係止部材５の前面（図２における下面）に突設された係合突部５４に対して係止部材５の移動方向（図１における左右方向）で係合する被係合片７０と、カバー２を通して外部に突出する操作部７１と、被係合片７０と操作部７１を連結する連結片７２とが一体となって平面視略Ｃ字状に形成されている。被係合片７０は、操作部７１と対向する内側面に平面視略半円形の係合凹所７３が設けられている。操作部７１は、矩形平板状であって連結片７２に対してカバー２側（図１における下向き）に立ち上がるように突出している。また、図１に示すように操作部７１には、係止部材５の突部５１前面（図２における下面）に突設されている突条部５１ａと嵌合する嵌合溝７１ａが設けられている。
【００２８】
一方、係止部材５の本体部５０においては、カバー２側の面（図１における下面）に被係合片７０の外形と略同形状の嵌合凹所５０ｃが形成されるとともに、被係合片７０の係合凹所７３と係合する係合突部５４が嵌合凹所５０ｃの底面端部に突設されている。
【００２９】
而して、移動部材７は、図４（ｂ）に示すように一方の係止部材５における本体部５０の係合凹所５０ｃに被係合片７０を嵌めることで係合凹所７３を本体部５０の係合突部５４に係合させるとともに、他方の係止部材５における突部５１の突条部５１ａに操作部７１の嵌合溝７１ａを嵌合させるようにして器体１内に収納される。ここで、２つの移動部材７，７は互いに同一形状、同一寸法であるが、各々の連結片７２，７２が、嵌合体４０と２つのボス部１４，１４との間の空間に振り分けて配置されることで互いに干渉することはない。操作部７１，７１は、開口部２０の両側に開口部２０と連通するようにカバー２に貫設されている一対の操作孔２２，２２を通して器体１の外に露出している（図７参照）。したがって、操作部７１，７１を手で外側に押し操作すれば、移動部材７，７が器体１の底板１０に沿って平行移動し、被係合片７０，７０に係合している係止部材５，５をねじりばね６の弾性力に抗して退避向きに移動させることができる。
【００３０】
プラグ８は、照明器具の安定器（図示せず）と接続されている２心の給電線２００の先端に取り付けられており、絶縁性を有する合成樹脂成形品からなるプラグ本体８０と、プラグ本体８０内に収納されてコネクタ部４のコンタクト４１，４１とそれぞれ接触導通する一対のコンタクト受け８１，８１と、コネクタ部４と接続されている状態で各係止部材５，５の突部５１，５１と対向するプラグ本体８０の側面に突設された一対のストッパ部８２，８２とを具備している（図１及び図７参照）。プラグ本体８０は、嵌合体４０内に挿入可能な寸法であり且つ扁平な矩形箱状に形成され、隔壁８０ｂによって内部が二分されている。そして、二分された一対の収納室８０ａ，８０ａ内に金属板を筒状に曲げ加工してなるコンタクト受け８１，８１がそれぞれ収納される。コンタクト受け８１，８１は、一端側に給電線２００の導体２００ａ，２００ａが各々接合され、他端側にコンタクト４１，４１が挿抜自在に差し込まれて導通する（図１参照）。ストッパ部８２，８２は、嵌合体４０の縦溝４０ａ，４０ａよりも幅細の矩形板状であって、コネクタ部４に接続された状態で係止部材５，５の突部５１，５１と対向するプラグ本体８０の両側面に突設されている。また、プラグ本体８０においてストッパ部８２，８２が突設されていない側面にはロック部８３が設けられている。このロック部８３は、図６及び図７に示すように各々一端側でプラグ本体８０に連結されている一対の支持片８３ａ，８３ａと、これら一対の支持片８３ａ，８３ａの他端側に揺動自在に支持された棒状のロック片８３ｂと、ロック片８３ｂの先端からプラグ本体８０側へ突出するロック爪８３ｃとがプラグ本体８０に一体に形成されてなる。一方、コネクタ部４の嵌合体４０においては、係止部材５，５と対向しない側面に各々プラグ８のロック爪８３ｃが択一的に係合する被係合部４０ｂ，４０ｂが突設されている。また、カバー２においては、プラグ８のロック部８３を逃げるための逃げ孔２３，２３が開口部２０に連通する形で開口部２０を挟む位置に貫設されている。尚、ロック爪８３ｃ並びに被係合部４０ｂ，４０ｂには、先端から後端側に向かって徐々に突出量が増えるような傾斜面が形成されている。
【００３１】
而して、プラグ本体８０を嵌合体４０内に正規の位置まで挿入すれば、コネクタ部４のコンタクト４１，４１がプラグ８のコンタクト受け８１，８１に各々接触導通してコネクタ部４とプラグ８が接続され、しかも、プラグ本体８０を嵌合体４０内に挿入する過程において、ロック爪８３ｃが被係合部４０ｂに当接するとともに互いの傾斜面に案内されてロック片８３ｂが撓み、やがてロック爪８３ｃが被係合部４０ｂを乗り越えてロック爪８３ｃと被係合部４０ｂが係合してロックされ、コネクタ部４に対してプラグ８が抜け止めされる（図６参照）。そして、ロック片８３ｂの後端部を指で押してロック片８３ｂを揺動すれば、ロック爪８３ｃと被係合部４０ｂとの係合が外れてロック解除されるから、プラグ本体８０を嵌合体４０から引き抜くことができる。ここで、コネクタ部４に接続されたプラグ８のストッパ部８２，８２が係止部材５，５の突起部５１，５１とそれぞれ僅かな隙間を空けて対向しており、コネクタ部４にプラグ８を接続した状態においては、突起部５１，５１がストッパ部８２，８２に干渉することで係止部材５，５の退避向きへの移動が規制される。尚、本実施形態ではプラグ本体８０が回転対称な形状に形成されるとともにコネクタ部４の嵌合体４０の両側面に被係合部４０ｂ，４０ｂが設けられているため、コネクタ部４に対するプラグ８の接続向きが限定されないことで使い勝手が向上するという利点がある。また、図９に示すようにプラグ本体８０の先端に、中央から外側に向かって反挿入向き（図９における下向き）に傾斜する傾斜面８０ｃを形成すれば、嵌合体４０に対してプラグ本体８０が挿入しやすくなるという利点がある。
【００３２】
ところで、本実施形態の引掛シーリングアダプタは、従来例と同様に引掛シーリングボディに対するロック機構を備えている。このロック機構は、底板１０を貫通する挿通孔（図示せず）から進退自在に突出するロック爪９０ａを先端に有する可動体９０と、ロック爪９０ａが突出する向きに可動体９０を弾性付勢するコイルばね９１と、コイルばね９１の弾性力に抗してロック爪９０ａが挿通孔内に退避する向きに可動体９０を移動させるロック解除釦９２とで構成される。ロック解除釦９２の操作部９２ａが器体１の周壁１１に設けられた切り欠き溝１１ａを通して露出しており、操作部９２ａを周壁１１内へ押し込むように操作することで可動体９０が移動し、ロック爪９０ａが挿通孔内に退避して引掛シーリングボディとのロック状態が解除される。尚、かかるロック機構については、従来周知であるから詳細な説明は省略する。
【００３３】
上述のように構成される本実施形態の引掛シーリングアダプタは、次のような手順で組み立てられる。
【００３４】
最初に固定ねじ４３，４３によって一対の端子板を器体１の底板１０にねじ止めした後、周壁１１の窓孔１２，１２を通して係止部材５，５を器体１内に挿入して本体部５０，５０の溝５０ｂに各々底板１０のガイドリブ１５，１５を嵌合させる。続いて、中央部６０をボス部１４に外挿した後にばね片６１，６１の先端部を係止部材５，５のばね係止部５３，５３に係止してねじりばね６を器体１内に収納する。さらに、一方の係止部材５における本体部５０の係合凹所５０ｃに被係合片７０を嵌めることで係合凹所７３を本体部５０の係合突部５４に係合させるとともに、他方の係止部材５における突部５１の突条部５１ａに操作部７１の嵌合溝７１ａを嵌合させるようにして、移動部材７，７を器体１内に収納する。そして、可動体９０とコイルばね９１とロック解除釦９２からなるロック機構を器体１内に収納した後、カバー２のねじ挿通孔２１，２１に挿通した取付ねじ１４ｂ，１４ｂを器体１のボス部１４，１４の縦穴１４ａ，１４ａに螺合することでカバー２を器体１に結合すれば、本実施形態の引掛シーリングアダプタが完成する。
【００３５】
上述のように本実施形態では、一方向から全ての部品を器体１に組み付けることができるので、引掛刃を器体の外底面にねじ止めしていた従来例に比較して組立性が向上するという利点がある。しかも、一対の係止部材５，５並びに移動部材７，７が各々同一部品でよいから、部品の品種削減によるコストダウンと組立性向上が図れる。
【００３６】
本実施形態の引掛シーリングアダプタを備えた照明器具は、図１に示すように器具本体（図示せず）にホルダ２１０が取り付けられている。このホルダ２１０は、平面視長円形状の合成樹脂成形品からなり、中央に開口する円形の取付孔２１１に引掛シーリングアダプタが取り付けられる。ホルダ２１０の上面における取付孔２１１の周縁には円環状のリブ２１２が突設されている。リブ２１２の内径は器体１の外形よりも僅かに大きい寸法であって、リブ２１２の先端部には、図１における下方に向かって内側へ傾斜する傾斜面２１２ａが形成されている。また、ホルダ２１０の下面における取付孔２１１の周縁には、係止部材５，５の係止爪５０ａ，５０ａが係止する円環状の被係止部２１３が設けられている。
【００３７】
而して、引掛シーリングアダプタを天井の引掛シーリングボディに取り付けた後、ホルダ２１０の取付孔２１１に引掛シーリングアダプタの器体１を挿入するように器具本体を押し上げれば、リブ２１２先端部の傾斜面に係止爪５０ａ，５０ａが当接して係止部材５，５が退避向きに移動し、やがてリブ２１２を乗り越えた係止爪５０ａ，５０ａが被係止部２１３に係止して引掛シーリングアダプタに器具本体が固定される。その後、引掛シーリングアダプタのコネクタ部４にプラグ８を接続すれば、引掛シーリングアダプタに対する照明器具の機械的及び電気的な取付が完了する。このとき、コネクタ部４に接続されたプラグ８のプラグ本体８０及びストッパ部８２，８２と、一対の係止部材５，５とが一直線上に並ぶことになり、ストッパ部８２，８２に規制されることで係止部材５，５が退避向きに移動できなくなっている（図１参照）。また、器具本体を水平に押し上げなかったために片側の係止部材５の係止爪５０ａのみがホルダ２１０の被係止部２１３に係止された不完全な取付状態においては、図８（ａ）に示すように被係止部２１３に係止されていない方の係止部材５の突部５１にストッパ部８２が干渉してプラグ８をコネクタ部４に接続できないから、安定器に給電されずに点灯しないことで照明器具が正しく取り付けられていないことを使用者が容易に認識できる。さらに、上述のような不完全な取付状態でコネクタ部４に無理矢理プラグ８を接続した場合であっても、図８（ｂ）に示すようにホルダ２１０（器具本体）が大きく傾いて水平にできないため、照明器具が正しく取り付けられていないことを使用者が容易に認識できる。
【００３８】
ここで、コネクタ部４にプラグ８を接続した状態で係止部材５，５を無理に退避向きに移動させようとした場合、従来例ではプラグのロック片で移動を規制していたためにロック片が塑性変形してしまう虞があったが、本実施形態ではプラグ本体８０と一対のストッパ部８２，８２とで係止部材５，５の移動を規制するので、プラグ８が塑性変形して使用不能となる虞が実質的になくなり、引掛シーリングアダプタに誤った手順で照明器具が取り付けられるのを確実に防ぐことができる。
【００３９】
また、２つの移動部材７，７は、コネクタ部４を挟んで被係合片７０と操作部７１とが一直線上に並ぶようにコネクタ部４の側方に連結片７２が配置されてなり、しかも、操作部７１，７１の嵌合溝７１ａに係止部材５，５の突部５１，５１に設けられている突条部５１ａが嵌合されているため、操作部７１，７１が操作されたときにスムースに移動することが可能である。
【００４０】
ところで、移動部材７の被係合片７０が周壁１１の内周面に当接することによって窓孔１２から器体１外へ進出する向きにおける係止部材５，５の移動が規制されているが、本実施形態においては、周壁１１の内周面に当接する被係合片７０の先端部分の形状を、周壁１１と略同形状、すなわち、周壁１１の内周面と曲率半径が略等しい円弧形状としている。つまり、円筒形の成形品は楕円形に変形してしまう場合があり、仮に、器体１が楕円形に変形したとしても、被係合片７０による規制位置がずれにくく、係止部材５の係止爪５０ａとホルダ２１０の被係止部２１３との係止が安定するという利点がある。
【００４１】
（実施形態２）
本実施形態の引掛シーリングアダプタの基本構成は実施形態１と共通であるから、共通の構成要素には同一の符号を付して適宜図示並びに説明を省略する。
【００４２】
実施形態１においては、コネクタ部４の一対のコンタクト４１，４１が係止部材５，５の移動方向と平行に並べられるとともに、器体１の底板１０中央に立設されている嵌合体４０の長手方向と係止部材５，５の移動方向とが一致しており、また一対のストッパ部８２，８２がプラグ本体８０の長手方向に沿った両側面より突設されている。これに対して本実施形態では、図１０及び図１１に示すようにコネクタ部４の一対のコンタクト４１，４１が係止部材５，５の移動方向と交差（直交）する方向に並べられるとともに、器体１の底板１０中央に立設されている嵌合体４０の長手方向と係止部材５，５の移動方向も交差（直交）しており、さらに一対のストッパ部８２，８２がプラグ本体８０の短手方向に沿った両側面より突設されている点に特徴がある。
【００４３】
すなわち、コネクタ部４にプラグ８を接続しない状態では突部５１，５１が嵌合体４０の側面に当接する位置で係止部材５，５の移動が規制されるが（図１１（ｃ）参照）、係止部材５，５の移動方向に沿った嵌合体４０の幅寸法が実施形態１に比較して短くなっているために係止部材５，５の移動量を増やすことができる。そして、係止部材５，５の移動量が増えれば、器体１の周壁１１より窓孔１２を通して外側に突出する係止爪５０ａの突出量も増えるから、照明器具（ホルダ２１０）の被係止部２１３と係止爪５０ａとの係り代を増やして照明器具の取付強度を向上することができる。一方、コネクタ部４にプラグ８を接続した状態では、プラグ８のプラグ本体８０及びストッパ部８２，８２と、一対の係止部材５，５とが一直線上に並び、ストッパ部８２，８２に規制されることで係止部材５，５が退避向きに移動できなくなっている（図１０並びに図１１（ａ）参照）。
【００４４】
なお、本実施形態ではプラグ本体８０の長手方向に沿った両側面に各々ロック部８３，８３が設けられ、嵌合体４０の短手方向に沿った両側面に突設されている被係合部４０ｂ，４０ｂと各別に係合することでプラグ８がコネクタ部４にロックされるようになっているが、必ずしもロック部８３を２つ設ける必要はなく、何れか片側のみでも構わない。
【００４５】
（実施形態３）
本実施形態の引掛シーリングアダプタの基本構成は実施形態１と共通であるから、共通の構成要素には同一の符号を付して適宜図示並びに説明を省略する。
【００４６】
実施形態１においては、コネクタ部４に接続されたプラグ８のプラグ本体８０及びストッパ部８２，８２と一対の係止部材５，５とが一直線上に並ぶように器体１の底板１０中央にコネクタ部４を配設し、コネクタ部４にプラグ８を接続しない状態で係止部材５，５の各突部５１，５１を嵌合体４０の側面に当接させることで係止部材５，５の移動を規制している。これに対して本実施形態では、図１２〜図１４に示すようにコネクタ部４に接続されたプラグ８のプラグ本体８０と一対の係止部材５，５とが一直線上に並ばないように器体１の底板１０中央からずれた位置にコネクタ部４が配設されるとともに、プラグ８のプラグ本体８０におけるロック部８３と反対側の側面にストッパ部８２が突設されている点に特徴がある。
【００４７】
ストッパ部８２は、合成樹脂成形品からなるプラグ本体８０の側面から突出する形で一体成形されており、ロック部８３に比べて強度（耐荷重）が大幅に高くなっている。また、コネクタ部４の嵌合体４０は、プラグ８のストッパ部８２を挿通する挿通溝４０ｃが器体１中央側の側面に設けられている。
【００４８】
而して、コネクタ部４にプラグ８を接続しない状態では、図１３（ｃ）及び図１４（ｃ）に示すように突部５１，５１が嵌合体４０に当接することなく突部５１，５１同士が当接する直前まで係止部材５，５の移動可能となっているため、実施形態１に比較して係止部材５，５の移動量を増やすことができる。そして、係止部材５，５の移動量が増えれば、器体１の周壁１１より窓孔１２を通して外側に突出する係止爪５０ａの突出量も増えるから、照明器具（ホルダ２１０）の被係止部２１３と係止爪５０ａとの係り代を増やして照明器具の取付強度を向上することができる。一方、コネクタ部４にプラグ８を接続した状態では、プラグ８のプラグ本体８０に設けられているストッパ部８２と、一対の係止部材５，５とが一直線上に並び、ストッパ部８２に規制されることで係止部材５，５が退避向きに移動できなくなっている（図１２並びに図１４（ａ）参照）。また、本実施形態ではプラグ本体８０の側面に設けられているロック部８３を、嵌合体４０の外側側面に突設されている被係合部４０ｂに係合することでプラグ８がコネクタ部４にロックされるようになっている。
【００４９】
なお、実施形態１〜３の引掛シーリングアダプタは、ホルダ２１０を備えた照明器具（天井に配設されている引掛シーリングボディに取り付けるタイプの照明器具）と組み合わせることが可能である。
【図面の簡単な説明】
【００５０】
【図１】本発明の実施形態１を示し、照明器具（ホルダ）に引掛シーリングアダプタを取り付けた状態の断面図である。
【図２】同上における引掛シーリングアダプタの分解斜視図である。
【図３】同上における引掛シーリングアダプタの一部省略した断面図である。
【図４】同上における引掛シーリングアダプタを示し、（ａ）はカバーと移動部材を取り除いた状態の斜視図、（ｂ）はカバーを取り除いた状態の斜視図である。
【図５】同上における引掛シーリングアダプタの断面図である。
【図６】（ａ）（ｂ）は同上における引掛シーリングアダプタにプラグを接続した状態の断面図である。
【図７】同上における引掛シーリングアダプタにプラグを接続した状態の斜視図である。
【図８】（ａ）（ｂ）は同上における引掛シーリングアダプタが照明器具（ホルダ）に不完全に取り付けられた状態の断面図である。
【図９】同上におけるプラグの平面図である。
【図１０】本発明の実施形態２を示し、引掛シーリングアダプタにプラグを接続した状態の一部省略した斜視図である。
【図１１】同上における一部省略した引掛シーリングアダプタを示し、（ａ）はプラグを接続した状態の正面図、（ｂ）はプラグを接続した状態の断面図、（ｃ）は移動部材が移動した状態の正面図である。
【図１２】本発明の実施形態３を示し、引掛シーリングアダプタにプラグを接続した状態の一部省略した斜視図である。
【図１３】同上における一部省略した引掛シーリングアダプタを示し、（ａ）は移動部材が移動した状態の斜視図、（ｂ）は移動部材が移動していない状態の斜視図である。
【図１４】同上における一部省略した引掛シーリングアダプタを示し、（ａ）はプラグを接続した状態の正面図、（ｂ）はプラグを接続した状態の断面図、（ｃ）は移動部材が移動した状態の正面図である。
【図１５】従来の引掛シーリングアダプタを示す分解斜視図である。
【図１６】同上を示し、（ａ）は上方から見た斜視図、（ｂ）は下方から見た斜視図である。
【符号の説明】
【００５１】
１  器体
２  カバー
３  引掛刃
４  コネクタ部
５  係止部材
６  ねじりばね
７  移動部材
８  プラグ
５１  突部
８０  プラグ本体
８２  ストッパ部
２１０  照明器具（ホルダ）
【図１】
0004648231.tif 000002
【図２】
0004648231.tif 000003
【図３】
0004648231.tif 000004
【図４】
0004648231.tif 000005
【図５】
0004648231.tif 000006
【図６】
0004648231.tif 000007
【図７】
0004648231.tif 000008
【図８】
0004648231.tif 000009
【図９】
0004648231.tif 000010
【図１０】
0004648231.tif 000011
【図１１】
0004648231.tif 000012
【図１２】
0004648231.tif 000013
【図１３】
0004648231.tif 000014
【図１４】
0004648231.tif 000015
【図１５】
0004648231.tif 000016
【図１６】
0004648231.tif 000017